(57)【要約】      （修正有）【課題】自動車のフロントガラスへ簡単に装着できて、当該フロントガラスへの霜の付着を防止しうる用具を提供する。【解決手段】自動車のフロントガラス１３を被覆して当該フロントガラスへの霜の付着を阻止しうるシート状部１４を有する。シート状部は折り畳み可能に形成されている。シート状部には、フロントガラスへの固定手段が設けられ、固定手段としては、フロントガラスの外面部に吸着しうる吸盤が設けられている。シート状部は下端部をワイパー１９により押え止めされて固定されうるように形成されている。シート状部には、使用する自動車のナンバープレートに表示された事項が表面部に表示されている。【選択図】図４
0003111405.tif 000002
【実用新案登録請求の範囲】
【請求項１】
自動車のフロントガラスを被覆して当該フロントガラスへの霜の付着を阻止しうるシート状部を有することを特徴とする霜付着防止具。
【請求項２】
上記シート状部は全体長方形状であって、折り畳み可能に形成されていることを特徴とする請求項１記載の霜付着防止具。
【請求項３】
上記シート状部は、上記フロントガラスの縦寸法と略同一の長さ寸法を有し、その長さ方向に沿って２つ折り可能に形成されていることを特徴とする請求項２記載の霜付着防止具。
【請求項４】
上記シート状部には、フロントガラスへの固定手段が設けられていることを特徴とする請求項１〜３記載の霜付着防止具。
【請求項５】
上記固定手段として、上記フロントガラスの外面部に吸着しうる吸盤が上記シート状部に設けられていることを特徴とする請求項４記載の霜付着防止具。
【請求項６】
上記吸盤は、上記シート状部の上半部位における略中央部に配置されていることを特徴とする請求項５記載の霜付着防止具。
【請求項７】
上記吸盤は、上記シート状部の折り畳み可能な上半部位と下半部位におけるそれぞれの上端部における幅方向両端部に配置されていることを特徴とする請求項５記載の霜付着防止具。
【請求項８】
上記シート状部には、周縁部に沿ってスプリング部材が配置され、上記スプリング部材は上記シート状部の長さ方向の中間部にヒンジ部が設けられて折り畳み可能に形成されていることを特徴とする請求項１〜７記載の霜付着防止具。
【請求項９】
上記シート状部は、下端部をワイパーにより押え止めされて固定されうるように形成されていることを特徴とする請求項１〜８記載の霜付着防止具。
【請求項１０】
上記シート状部には、使用する自動車のナンバープレートに表示された事項が表面部に表示されていることを特徴とする請求項１〜９記載の霜付着防止具。
【請求項１１】
上記固定手段は、シート状部の端部に設けられ、自動車のボディに着脱可能に固定することができるマグネット部であることを特徴とする請求項１〜１０記載の霜付着防止具。
【考案の詳細な説明】
【技術分野】
【０００１】
本考案は霜付着防止具に係り、特に、自動車のフロントガラスへ簡単に装着できて、そのフロントガラスへ霜が付着するのを防止しうる霜付着防止具に関する。
【背景技術】
【０００２】
冬季に自動車を屋外駐車場に駐車させて置くと、夜間の気温が氷点下近くまで下降した場合には、大気中の水分が霜になって自動車のフロントガラスに付着することが多い。
【０００３】
そして、自動車のフロントガラスに霜が付着すると、霜でフロントガラスが白濁したような状態となって視界不良若しくは透視不能となることから、運転に支障が生じる。
【０００４】
従って、自動車のフロントガラスに霜が付着した場合は、運転する前に、フロントガラスから霜を除去する必要がある。
【０００５】
しかしながら、フロントガラスに付着した霜は氷結していることが多く、布切れ等で簡単に拭くだけでは除去することが困難である。従って、自動車のエアコンを作動させて暖房することによりフロントガラスを暖めて霜を融解させる等の方法を採る必要があった。
【０００６】
従って、自動車のフロントガラスに付着した霜を除去する作業が極めて煩雑であり、朝一番で自動車を迅速に発進させることができない、という不具合があった。
【０００７】
そこで、自動車を屋外駐車場に駐車させているドライバーの多くは、自動車全体を覆うことができる車カバーを夜間に自動車に被せて、自動車のフロントガラスへの霜の付着を防止している。
【０００８】
しかしながら、この方法も、車カバーを自動車に被せ、取り除く作業が煩雑であるという不具合がある。
【０００９】
従って、より簡易に、自動車のフロントガラスへの霜の付着を防止しうる用具があれば便利である。
【００１０】
本出願人は、上記不具合を容易に解消しうる自動車のフロントガラスへの霜付着防止具について調査したが、関連する先行技術文献を見出すことはできなかった。
【考案の開示】
【考案が解決しようとする課題】
【００１１】
そこで本考案の課題は、自動車のフロントガラスへ簡単に装着でき、当該フロントガラスへの霜の付着を防止しうる用具を提供することにある。
【課題を解決するための手段】
【００１２】
上記課題を解決するために、請求項１記載の本考案に係る霜付着防止具は、自動車のフロントガラスを被覆して当該フロントガラスへの霜の付着を阻止しうるシート状部を有することを特徴とするものである。
【００１３】
即ち、請求項１記載の本考案に係る霜付着防止具にあっては、上記シート状部が自動車のフロントガラスに被覆されて、フロントガラスへの霜の付着が防止されるものである。
【００１４】
また、請求項２記載の本考案に係る霜付着防止具は、上記シート状部は全体長方形状であって、折り畳み可能に形成されていることを特徴とする。
【００１５】
即ち、請求項２記載の本考案に係る霜付着防止具は、不使用時に嵩張らずに保管できるように、上記シート状部は折り畳み可能に形成されたものである。
【００１６】
また、請求項３記載の本考案に係る霜付着防止具は、上記シート状部は、上記フロントガラスの縦寸法と略同一の長さ寸法を有し、その長さ方向に沿って２つ折り可能に形成されていることを特徴とする。
【００１７】
即ち、請求項３記載の本考案に係る霜付着防止具にあっては、上記シート状部を伸ばした場合に、フロントガラスを縦方向に沿ってほぼ全体を被覆することができるように形成されている。
【００１８】
また、請求項４記載の本考案に係る霜付着防止具は、上記シート状部には、フロントガラスへの固定手段が設けられていることを特徴とする。
【００１９】
即ち、請求項４記載の本考案に係る霜付着防止具にあっては、フロントガラスに被覆された上記シート状部は固定されて、安易に離脱しないように形成されている。
【００２０】
また、請求項５記載の本考案に係る霜付着防止具は、上記固定手段として、上記フロントガラスの外面部に吸着しうる吸盤が上記シート状部に設けられていることを特徴とする。
【００２１】
即ち、請求項５記載の本考案に係る霜付着防止具にあっては、上記シート状部を上記フロントガラスの外面部に容易に固定できるように、上記固定手段として吸盤が採用されている。
【００２２】
また、請求項６記載の本考案に係る霜付着防止具は、上記吸盤は、上記シート状部の上半部位における略中央部に配置されていることを特徴とする。
【００２３】
即ち、請求項６記載の本考案に係る霜付着防止具にあっては、上記シート状部を最少の吸盤でフロントガラスに効率的に固定するために、上記吸盤の配置位置を、シート状部の上半部位における略中央部に設定している。
【００２４】
また、請求項７記載の本考案に係る霜付着防止具は、上記吸盤は、上記シート状部の折り畳み可能な上半部位と下半部位におけるそれぞれの上端部における幅方向両端部に配置されていることを特徴とする。
【００２５】
即ち、請求項７記載の本考案に係る霜付着防止具にあっては、上記シート状部をフロントガラスに確実に固定するために、上記吸盤の配置位置を、シート状部の上半部位と下半部位におけるそれぞれの上端部における幅方向両端部に設定している。
【００２６】
また、請求項８記載の本考案に係る霜付着防止具は、上記シート状部には、周縁部に沿ってスプリング部材が配置され、上記スプリング部材は上記シート状部の長さ方向の中間部にヒンジ部が設けられて折り畳み可能に形成されていることを特徴とする。
【００２７】
即ち、請求項８記載の本考案に係る霜付着防止具にあっては、上記シート状部が張力を有して張り具合が良好になるように、上記シート状の周縁部に沿ってスプリング部材が配置されている。また、上記スプリング部材は、上記シート状部を折り畳み可能とするため、上記ヒンジ部により中間部で折り畳み可能に形成されている。
【００２８】
また、請求項９記載の本考案に係る霜付着防止具は、上記シート状部は、下端部をワイパーにより押え止めされて固定されうるように形成されていることを特徴とする。
【００２９】
即ち、請求項９記載の本考案に係る霜付着防止具にあっては、上記シート状部の下端部を吸盤により固定しない不安定さを解消するために、上記シート状部の下端部は自動車のワイパーにより押え止めするようにしている。
【００３０】
また、請求項１０記載の本考案に係る霜付着防止具は、上記シート状部には、使用する自動車のナンバープレートに表示された事項が表面部に表示されていることを特徴とする。
【００３１】
即ち、請求項１０記載の本考案に係る霜付着防止具にあっては、使用する自動車のナンバープレートに表示された事項が表面部に表示されることにより、所有者を積極的に表示し告知するように構成されている。
請求項１１記載の考案にあっては、上記固定手段は、シート状部の端部に設けられ、自動車のボディに着脱可能に固定することができるマグネット部であることを特徴とする。
従って、請求項１１記載の考案にあっては、上記マグネット部が設けられていることから使用時には車体に固定することができる。
【考案の効果】
【００３２】
請求項１記載の本考案に係る霜付着防止具は、自動車のフロントガラスを被覆して当該フロントガラスへの霜の付着を阻止しうるシート状部を有することから、当該霜付着防止具を上記フロントガラスに装着して置けば、冬季に自動車を屋外駐車場に駐車させて置いても、上記フロントガラスに霜が付着するのを有効に防止することができる。
従って、自動車を運転する前に、フロントガラスから霜を除去する煩雑な作業が不要となり、朝一番で自動車を迅速に発進させることができる。
【００３３】
また、請求項２記載の本考案に係る霜付着防止具は、上記シート状部は長方形状であって、折り畳み可能に形成されていることから、不使用時にはコンパクトに折り畳むことができ、保管する場合に嵩張らないという利便性がある。
【００３４】
また、請求項３記載の本考案に係る霜付着防止具は、上記シート状部は、上記フロントガラスの縦寸法と略同一の長さ寸法を有し、その長さ方向に沿って２つ折り可能に形成されていることから、不使用時に長さ方向に沿って２つ折りすれば、自動車のトランクルームに保管するのに最適な長さとなる。
また、２つ折り可能に形成されれば、開くのも簡単で、即座にフロントガラスに装着することができる。従って、当該霜付着防止具は保管に便利で、使い勝手が良好である。
【００３５】
また、請求項４記載の本考案に係る霜付着防止具は、上記シート状部には、フロントガラスへの固定手段が設けられていることから、フロントガラスの所定位置に固定して配置することができる。また、固定されることにより、フロントガラスから滑り落ちたり、風に吹き飛ばされて紛失するようなことがない。
【００３６】
また、請求項５記載の本考案に係る霜付着防止具は、上記固定手段として、上記フロントガラスの外面部に吸着しうる吸盤が上記シート状部に設けられていることから、上記吸盤を上記フロントガラスへ吸着させるだけで、容易に当該霜付着防止具を自動車のフロントガラスへ固定することができる。また、上記吸盤を上記フロントガラスから引き離すことにより容易に取り外すことができる。
【００３７】
また、請求項６記載の本考案に係る霜付着防止具は、上記吸盤は、上記シート状部における上半部位における略中央部に配置されていることから、使用する吸盤の数を必要最小限に抑えながら、上記シート状部を効率的に固定することができる。従って、使用する部品数が少ないので、コストが嵩むのを防止することができる。
【００３８】
また、請求項７記載の本考案に係る霜付着防止具は、上記吸盤は、上記シート状部の折り畳み可能な上半部位と下半部位におけるそれぞれの上端部における幅方向両端部に配置されていることから、上記シート状部の長さ方向の上端部と中間部とがフロントガラスに吸着されて確実に固定される。従って、固定力が強化され、上記シート状部の固定状態が安定する。
【００３９】
また、請求項８記載の本考案に係る霜付着防止具は、上記シート状部には、周縁部に沿ってスプリング部材が配置され、上記スプリング部材は上記シート状部の長さ方向の中間部にヒンジ部が設けられて折り畳み可能に形成されていることから、上記シート状部の周縁部が補強されて破損しにくくなると共に、上記シート状部が張力を有するようになって張り具合が良好になり、上記シート状部の弛みを防止することができる。
【００４０】
また、請求項９記載の本考案に係る霜付着防止具は、上記シート状部は、下端部をワイパーにより押え止めされて固定されうるように形成されていることから、上記シート状部の下端部に上記吸盤のような固定手段を設ける必要がなく、当該シート状部の下端部を容易かつ確実に固定することができる。
【００４１】
また、請求項１０記載の本考案に係る霜付着防止具は、上記シート状部には、使用する自動車のナンバープレートに表示された事項が表面部に表示されていることから、当該霜付着防止具が装着されている自動車のナンバープレートと、上記シート状部に表示されている事項を見比べた場合に、その表示事項が異なっていれば盗難品であることが容易に判別する。従って、当該霜付着防止具は盗難抑止効果がある。
また、請求項１１記載の考案にあっては、上記マグネット部が設けられていることから、使用時には車体に着脱自在に固定することができ、上記固定手段としての吸盤と相俟ってシート状部をより確実にフロントガラスに固定することができる。
【考案を実施するための最良の形態】
【００４２】
以下、図面を用いて本考案の実施の形態について説明する。
本実施の形態に係る霜付着防止具１１は、図４に示すように、自動車１２のフロントガラス１３を被覆して当該フロントガラス１３への霜の付着を阻止しうるシート状部１４を有して構成されている。
また、上記シート状部１４は、図３に示すように、折り畳み可能に形成されている。
また、上記シート状部１４は、図４に示すように、上記フロントガラス１３の縦寸法と略同一の長さ寸法を有し、図３に示すように、その長さ方向に沿って２つ折り可能に形成されている。
また、上記シート状部１４には、図１に示すように、フロントガラス１３への固定手段１５が設けられている。
また、上記固定手段１５として、図１及び図５に示すように、上記フロントガラス１３の外面部に吸着しうる吸盤１６が上記シート状部１４に設けられている。
また、上記吸盤１６は、図１に示す実施形態では、上記シート状部１４における上半部位１７における略中央部に配置されている。
また、図５に示す他の実施形態では、上記吸盤１６は、上記シート状部１４の折り畳み可能な上半部位１７と下半部位１８におけるそれぞれの上端部における幅方向両端部に配置されている。
また、上記シート状部１４には、図１及び図５に示すように、周縁部に沿ってスプリング部材２４が配置され、上記スプリング部材２４は上記シート状部１４の長さ方向の中間部にヒンジ部２５が設けられて折り畳み可能に形成されている。
また、上記シート状部１４は、図４に示すように、下端部をワイパー１９により押え止めされて固定されうるように形成されている。
また、上記シート状部１４には、図２に示すように、使用する自動車１２のナンバープレートに表示された事項が表面部に表示されている。
また、上記シート状部１４の端部には、マグネット部２７，２７が設けられ、車体に着脱可能に固定しうるように構成されている。
【実施例１】
【００４３】
図１〜図４は実施例１に係る霜付着防止具１１を示したものであって、図１は裏面側の外観を、図２は表面側の外観を、図３は折り畳み状態を、図４は使用状態を、それぞれ示したものである。
【００４４】
本実施例１に係る霜付着防止具１１は、図４に示すように、自動車１２のフロントガラス１３を被覆するものであって、上記フロントガラス１３の表面に被せうるようにシート状部１４を有している。
【００４５】
上記シート状部１４は、図１及び図２に示すように、縦長の略長方形状に形成され、その長さ寸法は、図４に示すように、上記フロントガラス１３の縦寸法より僅かに小さく設定されている。
【００４６】
また、上記シート状部１４の幅寸法は、図４に示すように、上記フロントガラス１３の幅寸法を略３等分したよりも若干小さく設定されている。
【００４７】
なお、上記シート状部１４の形状及び寸法は自由であり、本実施例１に限定されるものではない。
【００４８】
上記シート状部１４は、図３に示すように、芯材２１が表皮材２２により被覆された構造を有している。上記表皮材２２には、露に濡れても支障ないように耐水性に優れた合成樹脂製の布地が使用されている。
また、上記芯材２１は、上記フロントガラス１３の曲面に沿って配置しうるように柔軟性を有して曲げやすく、また保温性にすぐれ、かつ軽量の素材を用いて形成されている。
【００４９】
なお、上記シート状部１４の構造と素材も自由であり、本実施例に限定されるものではない。
【００５０】
上記シート状部１４は、図３に示すように、長さ方向の中間部で、長さ方向に沿って折り畳み可能に形成されている。
即ち、上記シート状部１４を２つ折り可能とするために、シート状部１４の長さ方向の中間部には、図１〜図３に示すように、幅方向に沿って、折り曲げを容易とする肉薄折曲部２３が形成されている。
【００５１】
上記シート状部１４は、図４に示すように、上記フロントガラス１３の外面部を覆うように当該フロントガラス１３に装着される。
【００５２】
上記シート状部１４を上記フロントガラス１３に装着するために、図１に示すように、上記シート状部１４にはフロントガラス１３に対する固定手段１５が設けられている。
【００５３】
上記固定手段１５としては、図１に示すように、軟質プラスチック材によりお椀形に形成された吸盤１６及びシート状部１４の長さ方向の端部に一対に設けられたマグネット部２７，２７とにより構成されている。
上記吸盤１６は、図１に示すように、上記シート状部１４の裏面側の１箇所に設けられている。上記吸盤１６は上記シート状部１４における上記芯材２１に固着されている。
また、上記マグネット部２７，２７は、夫々、アーム２６，２６により外方へ突出して設けられている。
【００５４】
上記シート状部１４は、上記のように２つ折り可能に形成され、互いに折り重ね可能な上半部位１７と下半部位１８とを有するが、上記吸盤１６は、図１に示すように、上記上半部位１７における略中央部に配置されている。
【００５５】
上記シート状部１４の下端部には上記吸盤１６が存在しないので、図４に示すように、上記吸盤１６をフロントガラス１３に吸着させることによりフロントガラス１３に固定した状態では、上記シート状部１４の下端部は固定されておらず不安定である。
そこで、図４に示すように、上記シート状部１４の下端部は自動車１２のワイパー１９により押え止めされて固定されるように形成されている。従って、上記シート状部１４の下端部を吸盤１６でフロントガラス１３に吸着させずとも、実用上支障はない。
【００５６】
上記シート状部１４には、図１〜図３に示すように、その周縁部に沿って、鋼を素材として、上記シート状部１４と略同形に形成されたスプリング部材２４が配置されている。このスプリング部材２４により上記シート状部１４には張力が付与されている。また、上記シート状部１４の周縁部は上記スプリング部材２４により補強されている。
また、上記スプリング部材２４は、上記シート状部１４の長さ方向の中間部にヒンジ部２５が設けられ、折り畳み可能に形成されている。
【００５７】
上記シート状部１４の表面側には、図２に示すように、使用する自動車１２のナンバープレートに表示された事項と同一の事項が、所有者の識別標識として表示されている。符号２０が、そのナンバープレートに表示された事項の表示部である。
【００５８】
上記ナンバープレートに表示された事項は、購入者がオプションで販売者に注文することにより表示される。
上記ナンバープレートに表示された事項は上記シート状部１４に対し、印刷、上記ナンバープレートに表示された事項を印刷したシールの貼付、上記シールの縫着、上記シールの接着等の任意の方法で表示することができる。
【実施例２】
【００５９】
次に、図５は実施例２に係る霜付着防止具１１を示したものである。
本実施例２に係る霜付着防止具１１は、上記吸盤１６の使用数と配置が上記実施例１とは異なっている。
【００６０】
本実施例２に係る霜付着防止具１１にあっては、図５に示すように、上記吸盤１６は、上記シート状部１４の折り畳み可能な上半部位１７と下半部位１８におけるそれぞれの上端部における幅方向両端部に配置されている。
即ち、本実施例２に係る霜付着防止具１１では、上記吸盤１６は、上記シート状部１４の裏面側における４箇所に設けられている。
【００６１】
上記実施例１のように、上記吸盤１６は、上記シート状部１４における上半部位１７の略中央部に配置されているだけでも十分な固定力を有し、実用上全く支障はないが、本実施例２のように、上記吸盤１６が、上記シート状部１４の上半部位１７と下半部位１８におけるそれぞれの上端部における幅方向両端部にそれぞれ配置されていれば、固定力がさらに強化され、上記フロントガラス１３に対する固定状態が安定する。
【００６２】
本実施例２に係る上記シート状部１４のその他の構造及び機能は、上記実施例１のシート状部１４と同一なので説明は省略する。また、フロントガラス１３に対する装着方法、即ち使用方法も同一である。
【００６３】
次に、上記実施例に係る霜付着防止具１１の作用について説明する。
上記霜付着防止具１１は、図４に示すように、上記シート状部１４が自動車１２のフロントガラス１３を被覆して当該フロントガラス１３への霜の付着を防止することができる。従って、当該霜付着防止具１１を自動車１２のフロントガラス１３に装着して置けば、冬季に自動車１２を屋外駐車場に駐車させて置いても、上記フロントガラス１３には霜が付着しない。これにより、自動車１２を運転する前に、フロントガラス１３から霜を除去する必要がなくなり、朝一番で自動車を迅速に発進させることができる。
また、上記シート状部１４は、図３に示すように、折り畳み可能に形成されているので、自動車１２のトランクルームなどに嵩張ることなく保管できて便利である。
また、上記シート状部１４には、図１及び図５に示すように、フロントガラス１３への固定手段１５として、上記フロントガラス１３の外面部に吸着しうる吸盤１６及びマグネット２７，２７が設けられているので、上記マグネット２７，２７により自動車のルーフ部の前端部に磁気的に吸着させた状態でフロントガラス１３に確実に安定的に固定することができ、風に吹かれて飛ばされるようなことがなく、紛失を防止することができる。
また、上記吸盤は１６、図１に示すように、上記シート状部１４の下端部には設けられていないが、上記シート状部１４は、図４に示すように、下端部をワイパー１９により押え止めされて固定されるので、実用上支障はない。
また、上記シート状部１４には、図２に示すように、使用する自動車１２のナンバープレートに表示された事項２０が表面部に表示されているので、所有者を識別することができ、盗難防止効果がある。
また、霜を除去するために使用された後は、上記吸盤１６及びマグネット２７，２７をフロントガラス１３及びルーフ部前端部から取り外すことにより用意にフロントガラス１３から除去することができるため容易に使用することができる。
【産業上の利用可能性】
【００６４】
本考案は、自動車のフロントガラスに霜が付着するのを防止するための用具に適用可能である。
【図面の簡単な説明】
【００６５】
【図１】実施例１に係る霜付着防止具の裏面側の外観を示す斜視図である。
【図２】実施例１に係る霜付着防止具の表面側の外観を示す斜視図である。
【図３】実施例１に係る霜付着防止具の折り畳み状態を示す断面図である。
【図４】実施例１に係る霜付着防止具の使用状態を示す斜視図である。
【図５】実施例２に係る霜付着防止具の裏面側の外観を示す斜視図である。
【符号の説明】
【００６６】
１１  霜付着防止具
１２  自動車
１３  フロントガラス
１４  シート状部
１５  固定手段
１６  吸盤
１７  上半部位
１８  下半部位
１９  ワイパー
２０  ナンバープレートに表示された事項の表示部
２１  芯材
２２  表皮材
２３  肉薄折曲部
２４  スプリング部材
２５  ヒンジ部
【図１】
0003111405.tif 000003
【図２】
0003111405.tif 000004
【図３】
0003111405.tif 000005
【図４】
0003111405.tif 000006
【図５】
0003111405.tif 000007
【手続補正書】
【提出日】平成17年4月22日(2005.4.22)
【手続補正１】
【補正対象書類名】実用新案登録請求の範囲
【補正対象項目名】全文
【補正方法】変更
【補正の内容】
【実用新案登録請求の範囲】
【請求項１】
自動車のフロントガラスを被覆して当該フロントガラスへの霜の付着を阻止しうる全体長方形状のシート状部を有することを特徴とする霜付着防止具。
【請求項２】
上記シート状部は、折り畳み可能に形成されていることを特徴とする請求項１記載の霜付着防止具。
【請求項３】
上記シート状部は、上記フロントガラスの縦寸法と略同一の長さ寸法を有し、その長さ方向に沿って２つ折り可能に形成されていることを特徴とする請求項２記載の霜付着防止具。
【請求項４】
上記シート状部には、フロントガラスへの固定手段が設けられていることを特徴とする請求項１〜３記載の霜付着防止具。
【請求項５】
上記固定手段として、上記フロントガラスの外面部に吸着しうる吸盤が上記シート状部に設けられていることを特徴とする請求項４記載の霜付着防止具。
【請求項６】
上記吸盤は、上記シート状部の上半部位における略中央部に配置されていることを特徴とする請求項５記載の霜付着防止具。
【請求項７】
上記吸盤は、上記シート状部の折り畳み可能な上半部位と下半部位におけるそれぞれの上端部における幅方向両端部に配置されていることを特徴とする請求項５記載の霜付着防止具。
【請求項８】
上記シート状部には、周縁部に沿ってスプリング部材が配置され、上記スプリング部材は上記シート状部の長さ方向の中間部にヒンジ部が設けられて折り畳み可能に形成されていることを特徴とする請求項１〜７記載の霜付着防止具。
【請求項９】
上記シート状部は、下端部をワイパーにより押え止めされて固定されうるように形成されていることを特徴とする請求項１〜８記載の霜付着防止具。
【請求項１０】
上記シート状部には、使用する自動車のナンバープレートに表示された事項が表面部に表示されていることを特徴とする請求項１〜９記載の霜付着防止具。
【請求項１１】
上記固定手段は、シート状部の端部に設けられ、自動車のボディに着脱可能に固定することができるマグネット部であることを特徴とする請求項１〜１０記載の霜付着防止具。
【手続補正２】
【補正対象書類名】明細書
【補正対象項目名】全文
【補正方法】変更
【補正の内容】
【考案の詳細な説明】
【技術分野】
【０００１】
本考案は霜付着防止具に係り、特に、自動車のフロントガラスへ簡単に装着できて、そのフロントガラスへ霜が付着するのを防止しうる霜付着防止具に関する。
【背景技術】
【０００２】
冬季に自動車を屋外駐車場に駐車させて置くと、夜間の気温が氷点下近くまで下降した場合には、大気中の水分が霜になって自動車のフロントガラスに付着することが多い。
【０００３】
そして、自動車のフロントガラスに霜が付着すると、霜でフロントガラスが白濁したような状態となって視界不良若しくは透視不能となることから、運転に支障が生じる。
【０００４】
従って、自動車のフロントガラスに霜が付着した場合は、運転する前に、フロントガラスから霜を除去する必要がある。
【０００５】
しかしながら、フロントガラスに付着した霜は氷結していることが多く、布切れ等で簡単に拭くだけでは除去することが困難である。従って、自動車のエアコンを作動させて暖房することによりフロントガラスを暖めて霜を融解させる等の方法を採る必要があった。
【０００６】
従って、自動車のフロントガラスに付着した霜を除去する作業が極めて煩雑であり、朝一番で自動車を迅速に発進させることができない、という不具合があった。
【０００７】
そこで、自動車を屋外駐車場に駐車させているドライバーの多くは、自動車全体を覆うことができる車カバーを夜間に自動車に被せて、自動車のフロントガラスへの霜の付着を防止している。
【０００８】
しかしながら、この方法も、車カバーを自動車に被せ、取り除く作業が煩雑であるという不具合がある。
【０００９】
従って、より簡易に、自動車のフロントガラスへの霜の付着を防止しうる用具があれば便利である。
【００１０】
本出願人は、上記不具合を容易に解消しうる自動車のフロントガラスへの霜付着防止具について調査したが、関連する先行技術文献を見出すことはできなかった。
【考案の開示】
【考案が解決しようとする課題】
【００１１】
そこで本考案の課題は、自動車のフロントガラスへ簡単に装着でき、当該フロントガラスへの霜の付着を防止しうる用具を提供することにある。
【課題を解決するための手段】
【００１２】
上記課題を解決するために、請求項１記載の本考案に係る霜付着防止具は、自動車のフロントガラスを被覆して当該フロントガラスへの霜の付着を阻止しうる全体長方形状のシート状部を有することを特徴とするものである。
【００１３】
即ち、請求項１記載の本考案に係る霜付着防止具にあっては、上記シート状部が自動車のフロントガラスに被覆されて、フロントガラスへの霜の付着が防止されるものである。
【００１４】
また、請求項２記載の本考案に係る霜付着防止具は、上記シート状部が折り畳み可能に形成されていることを特徴とする。
【００１５】
即ち、請求項２記載の本考案に係る霜付着防止具は、不使用時に嵩張らずに保管できるように、上記シート状部は折り畳み可能に形成されたものである。
【００１６】
また、請求項３記載の本考案に係る霜付着防止具は、上記シート状部は、上記フロントガラスの縦寸法と略同一の長さ寸法を有し、その長さ方向に沿って２つ折り可能に形成されていることを特徴とする。
【００１７】
即ち、請求項３記載の本考案に係る霜付着防止具にあっては、上記シート状部を伸ばした場合に、フロントガラスを縦方向に沿ってほぼ全体を被覆することができるように形成されている。
【００１８】
また、請求項４記載の本考案に係る霜付着防止具は、上記シート状部には、フロントガラスへの固定手段が設けられていることを特徴とする。
【００１９】
即ち、請求項４記載の本考案に係る霜付着防止具にあっては、フロントガラスに被覆された上記シート状部は固定されて、安易に離脱しないように形成されている。
【００２０】
また、請求項５記載の本考案に係る霜付着防止具は、上記固定手段として、上記フロントガラスの外面部に吸着しうる吸盤が上記シート状部に設けられていることを特徴とする。
【００２１】
即ち、請求項５記載の本考案に係る霜付着防止具にあっては、上記シート状部を上記フロントガラスの外面部に容易に固定できるように、上記固定手段として吸盤が採用されている。
【００２２】
また、請求項６記載の本考案に係る霜付着防止具は、上記吸盤は、上記シート状部の上半部位における略中央部に配置されていることを特徴とする。
【００２３】
即ち、請求項６記載の本考案に係る霜付着防止具にあっては、上記シート状部を最少の吸盤でフロントガラスに効率的に固定するために、上記吸盤の配置位置を、シート状部の上半部位における略中央部に設定している。
【００２４】
また、請求項７記載の本考案に係る霜付着防止具は、上記吸盤は、上記シート状部の折り畳み可能な上半部位と下半部位におけるそれぞれの上端部における幅方向両端部に配置されていることを特徴とする。
【００２５】
即ち、請求項７記載の本考案に係る霜付着防止具にあっては、上記シート状部をフロントガラスに確実に固定するために、上記吸盤の配置位置を、シート状部の上半部位と下半部位におけるそれぞれの上端部における幅方向両端部に設定している。
【００２６】
また、請求項８記載の本考案に係る霜付着防止具は、上記シート状部には、周縁部に沿ってスプリング部材が配置され、上記スプリング部材は上記シート状部の長さ方向の中間部にヒンジ部が設けられて折り畳み可能に形成されていることを特徴とする。
【００２７】
即ち、請求項８記載の本考案に係る霜付着防止具にあっては、上記シート状部が張力を有して張り具合が良好になるように、上記シート状の周縁部に沿ってスプリング部材が配置されている。また、上記スプリング部材は、上記シート状部を折り畳み可能とするため、上記ヒンジ部により中間部で折り畳み可能に形成されている。
【００２８】
また、請求項９記載の本考案に係る霜付着防止具は、上記シート状部は、下端部をワイパーにより押え止めされて固定されうるように形成されていることを特徴とする。
【００２９】
即ち、請求項９記載の本考案に係る霜付着防止具にあっては、上記シート状部の下端部を吸盤により固定しない不安定さを解消するために、上記シート状部の下端部は自動車のワイパーにより押え止めするようにしている。
【００３０】
また、請求項１０記載の本考案に係る霜付着防止具は、上記シート状部には、使用する自動車のナンバープレートに表示された事項が表面部に表示されていることを特徴とする。
【００３１】
即ち、請求項１０記載の本考案に係る霜付着防止具にあっては、使用する自動車のナンバープレートに表示された事項が表面部に表示されることにより、所有者を積極的に表示し告知するように構成されている。
請求項１１記載の考案にあっては、上記固定手段は、シート状部の端部に設けられ、自動車のボディに着脱可能に固定することができるマグネット部であることを特徴とする。
従って、請求項１１記載の考案にあっては、上記マグネット部が設けられていることから使用時には車体に固定することができる。
【考案の効果】
【００３２】
請求項１記載の本考案に係る霜付着防止具は、自動車のフロントガラスを被覆して当該フロントガラスへの霜の付着を阻止しうる全体長方形状のシート状部を有することから、当該霜付着防止具を上記フロントガラスに装着して置けば、冬季に自動車を屋外駐車場に駐車させて置いても、上記フロントガラスに霜が付着するのを有効に防止することができる。
従って、自動車を運転する前に、フロントガラスから霜を除去する煩雑な作業が不要となり、朝一番で自動車を迅速に発進させることができる。
【００３３】
また、請求項２記載の本考案に係る霜付着防止具は、上記シート状部が折り畳み可能に形成されていることから、不使用時にはコンパクトに折り畳むことができ、保管する場合に嵩張らないという利便性がある。
【００３４】
また、請求項３記載の本考案に係る霜付着防止具は、上記シート状部は、上記フロントガラスの縦寸法と略同一の長さ寸法を有し、その長さ方向に沿って２つ折り可能に形成されていることから、不使用時に長さ方向に沿って２つ折りすれば、自動車のトランクルームに保管するのに最適な長さとなる。
また、２つ折り可能に形成されれば、開くのも簡単で、即座にフロントガラスに装着することができる。従って、当該霜付着防止具は保管に便利で、使い勝手が良好である。
【００３５】
また、請求項４記載の本考案に係る霜付着防止具は、上記シート状部には、フロントガラスへの固定手段が設けられていることから、フロントガラスの所定位置に固定して配置することができる。また、固定されることにより、フロントガラスから滑り落ちたり、風に吹き飛ばされて紛失するようなことがない。
【００３６】
また、請求項５記載の本考案に係る霜付着防止具は、上記固定手段として、上記フロントガラスの外面部に吸着しうる吸盤が上記シート状部に設けられていることから、上記吸盤を上記フロントガラスへ吸着させるだけで、容易に当該霜付着防止具を自動車のフロントガラスへ固定することができる。また、上記吸盤を上記フロントガラスから引き離すことにより容易に取り外すことができる。
【００３７】
また、請求項６記載の本考案に係る霜付着防止具は、上記吸盤は、上記シート状部における上半部位における略中央部に配置されていることから、使用する吸盤の数を必要最小限に抑えながら、上記シート状部を効率的に固定することができる。従って、使用する部品数が少ないので、コストが嵩むのを防止することができる。
【００３８】
また、請求項７記載の本考案に係る霜付着防止具は、上記吸盤は、上記シート状部の折り畳み可能な上半部位と下半部位におけるそれぞれの上端部における幅方向両端部に配置されていることから、上記シート状部の長さ方向の上端部と中間部とがフロントガラスに吸着されて確実に固定される。従って、固定力が強化され、上記シート状部の固定状態が安定する。
【００３９】
また、請求項８記載の本考案に係る霜付着防止具は、上記シート状部には、周縁部に沿ってスプリング部材が配置され、上記スプリング部材は上記シート状部の長さ方向の中間部にヒンジ部が設けられて折り畳み可能に形成されていることから、上記シート状部の周縁部が補強されて破損しにくくなると共に、上記シート状部が張力を有するようになって張り具合が良好になり、上記シート状部の弛みを防止することができる。
【００４０】
また、請求項９記載の本考案に係る霜付着防止具は、上記シート状部は、下端部をワイパーにより押え止めされて固定されうるように形成されていることから、上記シート状部の下端部に上記吸盤のような固定手段を設ける必要がなく、当該シート状部の下端部を容易かつ確実に固定することができる。
【００４１】
また、請求項１０記載の本考案に係る霜付着防止具は、上記シート状部には、使用する自動車のナンバープレートに表示された事項が表面部に表示されていることから、当該霜付着防止具が装着されている自動車のナンバープレートと、上記シート状部に表示されている事項を見比べた場合に、その表示事項が異なっていれば盗難品であることが容易に判別する。従って、当該霜付着防止具は盗難抑止効果がある。
また、請求項１１記載の考案にあっては、上記マグネット部が設けられていることから、使用時には車体に着脱自在に固定することができ、上記固定手段としての吸盤と相俟ってシート状部をより確実にフロントガラスに固定することができる。
【考案を実施するための最良の形態】
【００４２】
以下、図面を用いて本考案の実施の形態について説明する。
本実施の形態に係る霜付着防止具１１は、図４に示すように、自動車１２のフロントガラス１３を被覆して当該フロントガラス１３への霜の付着を阻止しうるシート状部１４を有して構成されている。
また、上記シート状部１４は、図３に示すように、折り畳み可能に形成されている。
また、上記シート状部１４は、図４に示すように、上記フロントガラス１３の縦寸法と略同一の長さ寸法を有し、図３に示すように、その長さ方向に沿って２つ折り可能に形成されている。
また、上記シート状部１４には、図１に示すように、フロントガラス１３への固定手段１５が設けられている。
また、上記固定手段１５として、図１及び図５に示すように、上記フロントガラス１３の外面部に吸着しうる吸盤１６が上記シート状部１４に設けられている。
また、上記吸盤１６は、図１に示す実施形態では、上記シート状部１４における上半部位１７における略中央部に配置されている。
また、図５に示す他の実施形態では、上記吸盤１６は、上記シート状部１４の折り畳み可能な上半部位１７と下半部位１８におけるそれぞれの上端部における幅方向両端部に配置されている。
また、上記シート状部１４には、図１及び図５に示すように、周縁部に沿ってスプリング部材２４が配置され、上記スプリング部材２４は上記シート状部１４の長さ方向の中間部にヒンジ部２５が設けられて折り畳み可能に形成されている。
また、上記シート状部１４は、図４に示すように、下端部をワイパー１９により押え止めされて固定されうるように形成されている。
また、上記シート状部１４には、図２に示すように、使用する自動車１２のナンバープレートに表示された事項が表面部に表示されている。
また、上記シート状部１４の端部には、マグネット部２７，２７が設けられ、車体に着脱可能に固定しうるように構成されている。
【実施例１】
【００４３】
図１〜図４は実施例１に係る霜付着防止具１１を示したものであって、図１は裏面側の外観を、図２は表面側の外観を、図３は折り畳み状態を、図４は使用状態を、それぞれ示したものである。
【００４４】
本実施例１に係る霜付着防止具１１は、図４に示すように、自動車１２のフロントガラス１３を被覆するものであって、上記フロントガラス１３の表面に被せうるようにシート状部１４を有している。
【００４５】
上記シート状部１４は、図１及び図２に示すように、縦長の略長方形状に形成され、その長さ寸法は、図４に示すように、上記フロントガラス１３の縦寸法より僅かに小さく設定されている。
【００４６】
また、上記シート状部１４の幅寸法は、図４に示すように、上記フロントガラス１３の幅寸法を略３等分したよりも若干小さく設定されている。
【００４７】
なお、上記シート状部１４の形状及び寸法は自由であり、本実施例１に限定されるものではない。
【００４８】
上記シート状部１４は、図３に示すように、芯材２１が表皮材２２により被覆された構造を有している。上記表皮材２２には、露に濡れても支障ないように耐水性に優れた合成樹脂製の布地が使用されている。
また、上記芯材２１は、上記フロントガラス１３の曲面に沿って配置しうるように柔軟性を有して曲げやすく、また保温性にすぐれ、かつ軽量の素材を用いて形成されている。
【００４９】
なお、上記シート状部１４の構造と素材も自由であり、本実施例に限定されるものではない。
【００５０】
上記シート状部１４は、図３に示すように、長さ方向の中間部で、長さ方向に沿って折り畳み可能に形成されている。
即ち、上記シート状部１４を２つ折り可能とするために、シート状部１４の長さ方向の中間部には、図１〜図３に示すように、幅方向に沿って、折り曲げを容易とする肉薄折曲部２３が形成されている。
【００５１】
上記シート状部１４は、図４に示すように、上記フロントガラス１３の外面部を覆うように当該フロントガラス１３に装着される。
【００５２】
上記シート状部１４を上記フロントガラス１３に装着するために、図１に示すように、上記シート状部１４にはフロントガラス１３に対する固定手段１５が設けられている。
【００５３】
上記固定手段１５としては、図１に示すように、軟質プラスチック材によりお椀形に形成された吸盤１６及びシート状部１４の長さ方向の端部に一対に設けられたマグネット部２７，２７とにより構成されている。
上記吸盤１６は、図１に示すように、上記シート状部１４の裏面側の１箇所に設けられている。上記吸盤１６は上記シート状部１４における上記芯材２１に固着されている。
また、上記マグネット部２７，２７は、夫々、アーム２６，２６により外方へ突出して設けられている。
【００５４】
上記シート状部１４は、上記のように２つ折り可能に形成され、互いに折り重ね可能な上半部位１７と下半部位１８とを有するが、上記吸盤１６は、図１に示すように、上記上半部位１７における略中央部に配置されている。
【００５５】
上記シート状部１４の下端部には上記吸盤１６が存在しないので、図４に示すように、上記吸盤１６をフロントガラス１３に吸着させることによりフロントガラス１３に固定した状態では、上記シート状部１４の下端部は固定されておらず不安定である。
そこで、図４に示すように、上記シート状部１４の下端部は自動車１２のワイパー１９により押え止めされて固定されるように形成されている。従って、上記シート状部１４の下端部を吸盤１６でフロントガラス１３に吸着させずとも、実用上支障はない。
【００５６】
上記シート状部１４には、図１〜図３に示すように、その周縁部に沿って、鋼を素材として、上記シート状部１４と略同形に形成されたスプリング部材２４が配置されている。このスプリング部材２４により上記シート状部１４には張力が付与されている。また、上記シート状部１４の周縁部は上記スプリング部材２４により補強されている。
また、上記スプリング部材２４は、上記シート状部１４の長さ方向の中間部にヒンジ部２５が設けられ、折り畳み可能に形成されている。
【００５７】
上記シート状部１４の表面側には、図２に示すように、使用する自動車１２のナンバープレートに表示された事項と同一の事項が、所有者の識別標識として表示されている。符号２０が、そのナンバープレートに表示された事項の表示部である。
【００５８】
上記ナンバープレートに表示された事項は、購入者がオプションで販売者に注文することにより表示される。
上記ナンバープレートに表示された事項は上記シート状部１４に対し、印刷、上記ナンバープレートに表示された事項を印刷したシールの貼付、上記シールの縫着、上記シールの接着等の任意の方法で表示することができる。
【実施例２】
【００５９】
次に、図５は実施例２に係る霜付着防止具１１を示したものである。
本実施例２に係る霜付着防止具１１は、上記吸盤１６の使用数と配置が上記実施例１とは異なっている。
【００６０】
本実施例２に係る霜付着防止具１１にあっては、図５に示すように、上記吸盤１６は、上記シート状部１４の折り畳み可能な上半部位１７と下半部位１８におけるそれぞれの上端部における幅方向両端部に配置されている。
即ち、本実施例２に係る霜付着防止具１１では、上記吸盤１６は、上記シート状部１４の裏面側における４箇所に設けられている。
【００６１】
上記実施例１のように、上記吸盤１６は、上記シート状部１４における上半部位１７の略中央部に配置されているだけでも十分な固定力を有し、実用上全く支障はないが、本実施例２のように、上記吸盤１６が、上記シート状部１４の上半部位１７と下半部位１８におけるそれぞれの上端部における幅方向両端部にそれぞれ配置されていれば、固定力がさらに強化され、上記フロントガラス１３に対する固定状態が安定する。
【００６２】
本実施例２に係る上記シート状部１４のその他の構造及び機能は、上記実施例１のシート状部１４と同一なので説明は省略する。また、フロントガラス１３に対する装着方法、即ち使用方法も同一である。
【００６３】
次に、上記実施例に係る霜付着防止具１１の作用について説明する。
上記霜付着防止具１１は、図４に示すように、上記シート状部１４が自動車１２のフロントガラス１３を被覆して当該フロントガラス１３への霜の付着を防止することができる。従って、当該霜付着防止具１１を自動車１２のフロントガラス１３に装着して置けば、冬季に自動車１２を屋外駐車場に駐車させて置いても、上記フロントガラス１３には霜が付着しない。これにより、自動車１２を運転する前に、フロントガラス１３から霜を除去する必要がなくなり、朝一番で自動車を迅速に発進させることができる。
また、上記シート状部１４は、図３に示すように、折り畳み可能に形成されているので、自動車１２のトランクルームなどに嵩張ることなく保管できて便利である。
また、上記シート状部１４には、図１及び図５に示すように、フロントガラス１３への固定手段１５として、上記フロントガラス１３の外面部に吸着しうる吸盤１６及びマグネット２７，２７が設けられているので、上記マグネット２７，２７により自動車のルーフ部の前端部に磁気的に吸着させた状態でフロントガラス１３に確実に安定的に固定することができ、風に吹かれて飛ばされるようなことがなく、紛失を防止することができる。
また、上記吸盤は１６、図１に示すように、上記シート状部１４の下端部には設けられていないが、上記シート状部１４は、図４に示すように、下端部をワイパー１９により押え止めされて固定されるので、実用上支障はない。
また、上記シート状部１４には、図２に示すように、使用する自動車１２のナンバープレートに表示された事項２０が表面部に表示されているので、所有者を識別することができ、盗難防止効果がある。
また、霜を除去するために使用された後は、上記吸盤１６及びマグネット２７，２７をフロントガラス１３及びルーフ部前端部から取り外すことにより用意にフロントガラス１３から除去することができるため容易に使用することができる。
【産業上の利用可能性】
【００６４】
本考案は、自動車のフロントガラスに霜が付着するのを防止するための用具に適用可能である。
【図面の簡単な説明】
【００６５】
【図１】実施例１に係る霜付着防止具の裏面側の外観を示す斜視図である。
【図２】実施例１に係る霜付着防止具の表面側の外観を示す斜視図である。
【図３】実施例１に係る霜付着防止具の折り畳み状態を示す断面図である。
【図４】実施例１に係る霜付着防止具の使用状態を示す斜視図である。
【図５】実施例２に係る霜付着防止具の裏面側の外観を示す斜視図である。
【符号の説明】
【００６６】
１１  霜付着防止具
１２  自動車
１３  フロントガラス
１４  シート状部
１５  固定手段
１６  吸盤
１７  上半部位
１８  下半部位
１９  ワイパー
２０  ナンバープレートに表示された事項の表示部
２１  芯材
２２  表皮材
２３  肉薄折曲部
２４  スプリング部材
２５  ヒンジ部